(57)【要約】　　　（修正有）【課題】四角紙筒の個別鉢体からなる集合鉢体の展開作業が効率的に行えると共に、個別鉢体の紙筒寸法が異なる少なくとも２種類以上の集合鉢体の展開作業に共用可能な展開器具を提供する。【解決手段】集合鉢体の展開方向端列の個別鉢体内に挿脱させる引掛け片１２を、引掛け部材１１の長辺に櫛歯状に設け、引掛け部材１１の他辺に把手１３を付設する。展開枠一端の爪片にセットした集合鉢体の展開方向端列の個別鉢体内に引掛け片１２を上方向より挿入すると同時に、集合鉢体の展開および展開枠への引渡しまでの展開作業を一連の動作で、容易かつ確実に行うことができる。さらに、展開する集合鉢体に応じて任意の幅ｗ、高さｈおよびピッチｐ１，ｐ２，ｐ３…ｐｎで引掛け片１２を設けることにより、少なくとも２種類以上の集合鉢体の展開作業を一つの展開器具で行うことができる。【選択図】　図１
0003099905.tif 000002
【実用新案登録請求の範囲】
【請求項１】
　四角紙筒の個別鉢体を水溶性接着剤を介して集合させてなる集合鉢体を格子状に展開させる展開器具であって、集合鉢体の展開方向端列の個別鉢体内に挿脱させる引掛け片を、引掛け部材の長辺に櫛歯状に設けたことを特徴とする集合鉢体用展開器具。
【請求項２】
　引掛け片を、紙筒寸法の異なる少なくとも２種類以上の集合鉢体の個別鉢体内にそれぞれ挿入可能な間隔で設けたことを特徴とする請求項１に記載の集合鉢体用展開器具。
【請求項３】
　引掛け部材に、把手を付設したことを特徴とする請求項１または２に記載の集合鉢体用展開器具。
【考案の詳細な説明】
【技術分野】
【０００１】
　本考案は、各種作物の育苗に用いられる集合鉢体、詳しくは四角紙筒の個別鉢体からなる集合鉢体を展開するための展開器具に関する。
【背景技術】
【０００２】
　この種の集合鉢体は、六角紙筒または四角紙筒の個別鉢体を水溶性接着剤を介して重ね合せた構造となっており、扁平状態で保管され、使用時にはハニカム状または格子状に展開して育苗箱に納められるようになっている。図１３および図１４は、展開後の集合鉢体１を示したもので、四角紙筒の個別鉢体６からなる集合鉢体１は、展開枠２を用いて格子状に展開した状態を保持し、そのまま展開枠２と共に育苗箱３内に納められる。展開枠２は、育苗箱３の上縁部の輪郭に合わせて矩形状に形成されており、相対向する一対の枠フレーム４，４に櫛歯状に設けた爪片５，５を、集合鉢体１の展開方向の両端列に位置する個別鉢体６に挿入させることで、集合鉢体１を展開状態に保持できるようになっている。
【０００３】
　そして、育苗箱３に納められた集合鉢体１には、その後、土詰めおよび播種等が行われるが、前記した土詰めにより集合鉢体１は展開状態を維持するので、この段階で展開枠２を抜取るか、あるいは播種、覆土を終えた段階で展開枠２を抜取るようにしている。このように土詰めおよび播種が行われた集合鉢体１は、一定の期間ビニールハウス内等で育苗されるが、育苗期間中における灌水で水溶性接着剤が流亡することで、個別鉢体６が相互に分離可能となり、鉢苗として圃場に移植される。
【０００４】
　ところで、集合鉢体をハニカム状または格子状に展開させる展開器具および展開装置としては、従来より種々のものがあり、例えば、特開２００２−４５０５０号公報には、集合鉢体の展開方向両端に位置する個別鉢体に水溶性接着剤を介して部分接着した展開ラベルの内側の非接着部分に一対の展開串を挿通し、この展開串の両端部を係止する二対のフックを所定に間隔で対向配置してなる展開台を備えた展開装置が開示されている。この展開装置においては、展開ラベル内側に挿通した一対の展開串を各フックに係止して集合鉢体を規定の大きさに展開し、この集合鉢体に展開枠を重ね合わせて展開枠両端の爪片を集合鉢体両端列の個別鉢体に挿入し、この状態で前記展開串をそれぞれ引抜くことによって集合鉢体を展開枠に引渡すものであり、特に六角紙筒の個別鉢体からなる集合鉢体の展開作業に広く用いられている。
【０００５】
　一方、四角紙筒の個別鉢体からなる集合鉢体１は、図１２に示すように、個別鉢体６を左右交互の方向に折り畳んだ構成となっており、集合鉢体１両端の個別鉢体６に水溶性接着剤を介して接着した展開ラベル７の一端を矢印Ｐの方向に引出すことによって、容易に端列の個別鉢体６のみを開口（破線で示す）できるものであり、通常、仰向きとした展開枠２上で集合鉢体１を展開する方法が用いられている。図１１は、四角紙筒の個別鉢体６からなる集合鉢体１における従来の展開態様を示したものであり、集合鉢体１の片側端列の個別鉢体６ａのみを開口し、仰向きとした展開枠２の一端の爪片５ａを前記個別鉢体６ａ内に挿入させた後、十手状の展開串２０を用いて矢印Ｆの方向に集合鉢体１を展開して、展開方向端列の個別鉢体６ｂ内に前記展開枠２の他端の爪片５ｂを挿入させるようにしていた。前記展開串２０は、串体２１と把手２２とを一体成形したもので、串体２１を展開方向端列の個別鉢体６（ここでは６ｂ）に接着した展開ラベル７（図示略）内側の非接着部分に矢印Ｓの方向より挿通し、把手２２を握持して矢印Ｆの方向に引出すことによって集合鉢体１を展開し、展開枠２他端の爪片５ｂを個別鉢体６ｂ内に挿入した後に前記串体２１を抜取り、集合鉢体１を展開枠２に引渡すようにしていた。
【０００６】
　しかしながら、上記した展開串２０による集合鉢体１の展開様式によれば、予め展開ラベル内側の非接着部分に串体２１を挿通し、集合鉢体１を展開して展開枠２に保持させた後に串体２１を抜取るという煩雑な作業を繰返す必要があった。また、集合鉢体１は、四角紙筒の個別鉢体６相互が密に接合されていることから、展開枠２の爪片５ａ〜５ｂの間隔（規定展開長）以上に展開すると、展開串２０に集合鉢体１から大きな負荷（抵抗力）がかかり、補助的に展開ラベルより突出している串体２１先端部を共に握持して展開すると、集合鉢体１からの抵抗力により串体２１の中央部が湾曲し、集合鉢体１を均等に展開することができず、展開枠２（爪片５ｂ）への引渡しが困難となる、という問題があった。
【特許文献１】実公平７−３３６４４号公報
【特許文献２】実用新案登録第３０７５３０１号公報
【特許文献３】特開２００２−４５０５０号公報
【考案の開示】
【考案が解決しようとする課題】
【０００７】
　本考案は、上記した問題点を解決することを課題としてなされたものであり、四角紙筒の個別鉢体からなる集合鉢体の展開および展開枠への引渡しが容易かつ確実に行える展開器具を供給することにあり、さらに、個別鉢体の紙筒寸法が異なる少なくとも２種類以上の集合鉢体において共用可能な展開器具を提供することを目的としている。
【課題を解決するための手段】
【０００８】
　上記目標を達成するため、本考案は、四角紙筒の個別鉢体を水溶性接着剤を介して集合させてなる集合鉢体を格子状に展開させる展開器具であって、集合鉢体の展開方向端列の個別鉢体内に挿脱させる引掛け片を、引掛け部材の長辺に櫛歯状に設けたことを特徴とする。このように構成した展開器具においては、集合鉢体の展開方向端列の個別鉢体内に上方向より引掛け片を挿入し、そのまま展開する方向に引出すことによって集合鉢体を展開することができ、集合鉢体を展開状態で保持させる展開枠に引渡すまでの展開作業を一連の動作で行えるようになる。
【０００９】
　さらに、本考案は、四角紙筒寸法（四角紙筒の一辺の長さ）の異なる少なくとも２種類以上の集合鉢体の個別鉢体内にそれぞれ挿入可能な間隔で、引掛け片を櫛歯状に引掛け部材に設けたことを特徴とする。すなわち、紙筒寸法が異なる集合鉢体であっても、挿入する引掛け片が個別鉢体相互の接合部分（紙筒の開口縁部）に当接しない位置にそれぞれ設けたので、紙筒寸法の異なる集合鉢体ごとに展開器具を準備しなくとも、一つの展開器具で数種類の集合鉢体の展開作業に共用することができる。
【００１０】
　また、本展開器具は、引掛け部材に把手を付設したことを特徴とする。前記把手の形状および取付位置は、特に限定するものではないが、引掛け片と相対する引掛け部材他辺の中央部に付設することが望ましく、このように把手を付設した場合には、集合鉢体の展開および展開枠への引渡しなど展開器具の操作性がより向上する。
【００１１】
　なお、本考案において、引掛け片の高さｈは、展開する集合鉢体の個別鉢体高さの２／３〜１／３の範囲内とし、引掛け片の幅ｗは、個別鉢体筒幅の１／２〜１／５の範囲内とするのが望ましい。
【考案の効果】
【００１２】
　本考案に係る展開器具によれば、予め両端列の個別鉢体を開口した集合鉢体を展開枠の一端にセットした状態において、集合鉢体の展開方向端列の個別鉢体内に、展開器具の引掛け片を上方向より挿入すると同時に、集合鉢体の展開、さらに展開枠への引渡しまでの展開作業を一連の動作で容易かつ確実に行うことができるようになる。また、従来のように、集合鉢体の展開方向端列の展開ラベル内側の非接着部に串体を挿通し、展開枠への引渡し後に串体を抜取るといった煩わしい作業が不要となるばかりか、本展開器具の引掛け部材が断面Ｌ字形あるいはコ字形等をなしているので、集合鉢体を規定展開長以上に展開しても端列の中央部が湾曲することがなく均等に展開されるようになり、作業性において大きな改善効果が得られる。
【考案を実施するための最良の形態】
【００１３】
　以下、本考案を実施するための最良の形態を添付図面に基づいて説明する。図１は、本考案に係る展開器具を示したものである。本実施の形態において、引掛け部材１１は、断面Ｌ字形をなし、その長辺先端に複数の引掛け片１２が櫛歯状に設けられている。そして、前記引掛け片１２と相対する引掛け部材１１他辺の中央部には、直交する向きで丸筒状の把手１３が付設されている。引掛け片１２は、展開する集合鉢体１の個別鉢体６に合わせて等間隔で設けてもよいし、引掛け片の幅ｗおよびピッチｐ１，ｐ２，ｐ３…ｐｎで示すように、個別鉢体６の紙筒寸法が異なる少なくとも２種類以上の集合鉢体１の個別鉢体６内にそれぞれ挿入可能な幅および間隔で設けてもよい。なお、展開した集合鉢体１を展開枠２に引渡す時の引掛け片１２と個別鉢体６との摩擦力を軽減するため、引掛け片１２高さｈは、展開する個別鉢体１の個別鉢体６高さの２／３〜１／３の範囲内とし、引掛け片１２の幅ｗは、個別鉢体６筒幅の１／２〜１／５の範囲内とするのが望ましい。
【００１４】
　次に、このように構成した展開器具１０の作用を説明するが、本展開器具１０の適用対象である集合鉢体１およびこの集合鉢体１の引渡し対象である展開枠２は、前記図１１および図１３、図１４に示したものと実質同じであるので、ここでは、同一部分に同一符号を付し、その説明は省略する。また、集合鉢体の展開方向には、矢印Ｆの同一符号を付し、以下単に展開方向という。
【００１５】
　図２乃至図５は、本考案に係る展開器具１０による集合鉢体１の展開作業を示したものである。集合鉢体１は、図２および図３に示すように、予め展開方向両端に位置する四角紙筒の個別鉢体６ａ，６ｂが開口され、その一端の個別鉢体６ａ内に展開枠２の爪片５ａが挿入されている。ここで、展開器具１０の把手１３を握持しながら引掛け部材１１の長辺に設けられている引掛け片１２を、集合鉢体１他端の個別鉢体６ｂ内に上方向より挿入し、この引掛け片１２を個別鉢体６ｂの内壁に当接させた状態で把手１３を展開方向に引出すことによって、集合鉢体１を展開することができる。なお、図４に示すように、展開するときに把手１３端部を水平よりわずかに引上げることによって、引掛け片１２先端に集合鉢体１への張力が作用し、集合鉢体１が展開器具１０から抜け落ちることを防止できる。さらに、この状態から引掛け片１２先端が展開枠２の爪片５ｂを乗越える位置まで集合鉢体１を展開し、前記引掛け片１２が前記爪片５ｂの外側（図４では右側面）に当接するように展開方向端列側（個別鉢体６ｂ側）を降下させ、爪片５ｂを個別鉢体６ｂ内に挿入させる。ここで、図５に示すように、展開器具１０の把手１３端部を押下げることにより集合鉢体１への張力が引掛け片１２の基部に作用すると共に、この張力とは逆の方向に集合鉢体１からの抵抗力が引掛け片１２の先端方向に作用するので、さらに把手１３端部を押下げながら、同時に引掛け片１２側を引上げることによって、集合鉢体１からの抵抗力が展開枠２の爪片５ｂに移行し、集合鉢体１からの展開器具１０の抜取り、すなわち展開枠２への集合鉢体１の引渡しが容易かつ確実に行える。
【００１６】
　本考案では、図６に示すように、数種類の集合鉢体（ここでは、集合鉢体１ａ，１ｂ，１ｃの３種類）の個別鉢体の紙筒寸法Ｗａ，Ｗｂ，Ｗｃに応じて、引掛け片の幅ｗおよびピッチｐ１，ｐ２，ｐ３…ｐｎで示すように、任意の幅および間隔で引掛け片１２を引掛け部材１１に設けることにより、個別鉢体の紙筒寸法が異なる数種類の集合鉢体の展開作業を一つの展開器具１０で行うことが可能となる。なお、前記引掛け片１２は、必ずしも集合鉢体端列に位置するすべての個別鉢体内に挿入されるものではなく、部分的に引掛け片１２が挿入されない個別鉢体もあるが、隣接する個別鉢体からの張力が作用するので、集合鉢体を均等に展開することができる。
【００１７】
　なお、図７に示すように、本展開器具１０の把手１３端部にストッパー１４を設けてもよく、これによって、比較的握力が弱い女性や、集合鉢体を展開するときに展開器具１０に大きな抵抗力が加わっても、把手１２を握持することができるようになる。また、前記ストッパー１４に代えて、把手１３の周面に突起や窪みを設けるか、あるいは、例えばゴム材で被覆するなど、把手１３の形状および滑止め手段などに周知の技術を用いてもよいことはもちろんである。
【００１８】
　本考案に係る展開器具は、集合鉢体の展開方向端列に位置する個別鉢体内に挿脱させる引掛け片を引掛け部材に設けた展開器具であって、例えば、図８（ａ）、（ｂ）に示すように、断面コ字形をなした引掛け部材１１’の長辺一端に複数の引掛け片１２’を設け、相対する他端を把手１３’としてもよい。また、図９（ａ）、（ｂ）に示すように、断面Ｔ字形をなした引掛け部材１１''の天片の長辺両端に、複数の引掛け片１２''をそれぞれ異なる任意の幅および間隔等で設けてもよく、このように構成することによって、一つの展開器具にて展開できる集合鉢体の適用範囲を広くすることができる。
【００１９】
　さらに、図１０（ａ）、（ｂ）に示すように、複数の引掛け片３２を引掛け部材３１にそれぞれ摺動自在に設けてもよく、展開する集合鉢体端列の個別鉢体に合わせて、固定手段（例えば、蝶ネジ）３４により任意の間隔で引掛け片３２を締着することにより、数種類の集合鉢体の展開作業に用いることができ、同様の作用効果が得られる。
【図面の簡単な説明】
【００２０】
【図１】本考案を実施するための最良の形態としての展開器具の構造を示す斜視図である。
【図２】本展開器具による集合鉢体の展開態様を示す側面図ある。
【図３】本展開器具による集合鉢体の展開態様を示す平面図ある。
【図４】集合鉢体の展開態様を模式的に示す側面断面図である。
【図５】展開枠への集合鉢体の引渡し態様を模式的に示す側面断面図である。
【図６】本展開器具の引掛け片と展開する集合鉢体の関係を示す模式図である。
【図７】把手端部にストッパーを付設した展開器具を示す平面図である。
【図８】断面コ字形の引掛け部材を用いた展開器具の構造を示したもので、（ａ）は正面図、（ｂ）は側面図である。
【図９】断面Ｔ字形の引掛け部材を用いた展開器具の構造を示したもので、（ａ）は正面図、（ｂ）は側面図である。
【図１０】引掛け部材に引掛け片を摺動自在に付設した展開器具の要部構造を示したもので、（ａ）は正面図、（ｂ）は側面断面図である。
【図１１】従来の展開器具による集合鉢体の展開態様を示す平面図ある。
【図１２】集合鉢体端列の個別鉢体（四角紙筒）の開口態様を示す模式図である。
【図１３】集合鉢体を展開状態で保持する展開枠を示す平面図である。
【図１４】集合鉢体と、展開枠と育苗箱との関係を示す側面図である。
【符号の説明】
【００２１】
　１　集合鉢体
　２　展開枠
　３　育苗箱
　５，５ａ，５ｂ　爪片
　６，６ａ，６ｂ　個別鉢体
　１０　展開器具
　１１　引掛け部材
　１２　引掛け片
　１３　把手
　１４　ストッパー
　ｈ　引掛け片の高さ
　ｗ　引掛け片の幅
　ｐ１，ｐ２，ｐ３…ｐｎ　引掛け片のピッチ
【図１】
0003099905.tif 000003
【図２】
0003099905.tif 000004
【図３】
0003099905.tif 000005
【図４】
0003099905.tif 000006
【図５】
0003099905.tif 000007
【図６】
0003099905.tif 000008
【図７】
0003099905.tif 000009
【図８】
0003099905.tif 000010
【図９】
0003099905.tif 000011
【図１０】
0003099905.tif 000012
【図１１】
0003099905.tif 000013
【図１２】
0003099905.tif 000014
【図１３】
0003099905.tif 000015
【図１４】
0003099905.tif 000016